(57)【要約】【課題】  股下の延出部を前腹部に着脱自在とすると共に、前腹部を左右に開閉可能なパンツ型おむつが従来より提案されている。本発明では上記前腹部の開閉操作をし易くしたパンツ型おむつを提供することを目的とする。【解決手段】  パンツ型おむつ１０の前腹部５１が左／右部材３９，３８に分離できる。右部材３８の分離端部分には第１の摘み部材１１、左部材３９の分離部分には第２の摘み部材１２が取り付けられている。これら第１，２の摘み部材１１，１２（摘みユニット４１）はやや硬質となっており持ち易く、従って左／右部材４５，４６の開閉操作がし易い。【選択図】      図２
2005245902.tif 000002
【特許請求の範囲】
【請求項１】
前腹部と、後背部と、この後背部の股下から延出される延出部を備え、前記前腹部と前記後背部が脇線部で連なった使い捨てパンツ型おむつであって、
前記延出部は、股下から前記前腹部に至る長さであり、
前記前腹部は左右に分離可能で、この分離部分に前記前腹部よりも硬質の別付け部材からなる摘みユニットが取り付けられたものであることを特徴とする使い捨てパンツ型おむつ。
【請求項２】
前記摘みユニットが、相対応する着脱部材を備えた一対の摘み部材により構成され、該一対の摘み部材のうちの一方が前記前腹部の左の部材に取り付けられ、他方が前記前腹部の右の部材に取り付けられたものである請求項１に記載の使い捨てパンツ型おむつ。
【請求項３】
前記摘みユニットは突出部を備えたものである請求項１または２に記載の使い捨てパンツ型おむつ。
【請求項４】
前記摘みユニットが前記前腹部における外面側に取り付けられたものである請求項１〜３のいずれかに記載の使い捨てパンツ型おむつ。
【請求項５】
前記前腹部の肌側面に対して前記延出部の外側面が着脱自在に取り付けられるものである請求項４に記載の使い捨てパンツ型おむつ。
【請求項６】
前記前腹部の肌側面に対して前記延出部の外側面が剥離可能に接着されたものである請求項４または５に記載の使い捨てパンツ型おむつ。
【請求項７】
前記摘みユニットが前記前腹部における肌面側に取り付けられたものである請求項１〜３のいずれかに記載の使い捨てパンツ型おむつ。
【請求項８】
前記摘みユニットの肌側面に対して前記延出部の外側面が着脱自在に取り付けられるものである請求項７に記載の使い捨てパンツ型おむつ。
【請求項９】
前記摘みユニットの肌側面に対して前記延出部の外側面が剥離可能に接着されたものである請求項７または８に記載の使い捨てパンツ型おむつ。
【請求項１０】
前記前腹部はその中央縦方向が破断可能に構成されたものであり、この破断可能な箇所を破断することにより該前腹部が左右に分離されるものである請求項１〜９のいずれかに記載の使い捨てパンツ型おむつ。
【請求項１１】
使い捨てパンツ型おむつに取り付けられ、一対の摘み部材により構成される摘みユニットを製造する方法であって、
前記一対の摘み部材における両原料シートに一対の着脱部材をそれぞれ取り付け、
次に、前記一対の着脱部材を重ねて前記両原料シートを一体化し、
その後、個々の前記摘みユニットに切断することを特徴とする使い捨てパンツ型おむつ用摘みユニットの製造方法。
【請求項１２】
前腹部に破断可能な箇所が形成された使い捨てパンツ型おむつを連続的に製造する方法であって、
該パンツ型おむつにおける前記前腹部の原料長尺体に、製造流れ方向と交差する方向に破断可能な箇所を形成し、これに続いて該破断可能な箇所上に摘みユニットを取り付けることを特徴とする使い捨てパンツ型おむつの製造方法。
【請求項１３】
前腹部に破断可能な箇所が形成された使い捨てパンツ型おむつを連続的に製造する方法であって、
該パンツ型おむつにおける前記前腹部の原料長尺体上に摘みユニットを取り付け、
その後、この摘みユニットの取り付けられた位置における前記原料長尺体に対して、製造流れ方向と交差する方向に破断可能な箇所を形成することを特徴とする使い捨てパンツ型おむつの製造方法。
【請求項１４】
前記破断可能な箇所の形成と前記摘みユニットの取り付けを行った後、前記摘みユニットと前記原料長尺体の重ね位置に延出部を重ね合わせる請求項１２または１３に記載の使い捨てパンツ型おむつの製造方法。
【発明の詳細な説明】
【技術分野】
【０００１】
本発明は、使い捨てパンツ型おむつ並びにその製造方法に関するものであり、乳幼児用としてはもとより、成人用等としても用いることができる。
【背景技術】
【０００２】
使い捨ておむつは、平板状のおむつ展開体から使用時に後背部の左右翼を前腹部に綴じ合わせて着用させる展開型おむつと、パンツの形状をしたパンツ型おむつに大別される。該パンツ型おむつは立ち姿勢で容易に着用操作を行えることから、動き回る子供に対してはき脱ぎさせ易く、また成人着用者にとっては下着感覚で着用できて抵抗感が比較的少なく、精神的にも望ましいといった利点を有する。また最近では腰周りや脚周りだけでなく、胴周りにも伸縮性を付与して身体へのフィット性を向上させたパンツ型おむつも提供されており、需要が高まっている。
【０００３】
ところで排泄物で汚れたパンツ型おむつを通常のパンツの如く下にずらす様にして脱ぐと、周りを汚す虞があることから、脇線部を剥離可能に構成し、この脇線部を剥がして身体から取り外す様にしたパンツ型おむつが主として提供されているが、このものは一旦剥がすと再着用ができない。
【０００４】
そこで特許文献１では、前腹部を中央縦方向に破断して左右に開放可能に構成にすると共に、この左右の部材のそれぞれを、後背部の股下から延びた延出部に対して面ファスナーによって着脱自在に構成したパンツ型おむつが提案されており、該パンツ型おむつによれば、前腹部を左右に開けることで容易に取り外すことができ、また面ファスナーを係合させることによって再び着用できる。
【特許文献１】特開２００３−５２６４０６号公報（図１，２，７）
【発明の開示】
【発明が解決しようとする課題】
【０００５】
上記特許文献１のパンツ型おむつは、前腹部の左／右部材におけるそれぞれの端部分を掴んで開閉操作を行うこととなるが、このとき左／右部材の端部分は柔らかくコシがない為に開閉操作がし辛いという問題がある。
【０００６】
そこで本発明においては、前腹部左／右部材の開閉時の操作性を向上させた使い捨てパンツ型おむつを提供することを目的とする。
【課題を解決するための手段】
【０００７】
本発明に係る使い捨てパンツ型おむつは、前腹部と、後背部と、この後背部の股下から延出される延出部を備え、前記前腹部と前記後背部が脇線部で連なった使い捨てパンツ型おむつであって、前記延出部が股下から前記前腹部に至る長さであり、前記前腹部が左右に分離可能で、この分離部分に前記前腹部よりも硬質の別付け部材からなる摘みユニットが取り付けられたものであることを特徴とする。
【０００８】
この様に前腹部の分離部分に、この前腹部とは別部材の摘みユニットが取り付けられており、この摘みユニットは前腹部よりもやや硬質となっているから、着用者或いは介助者は摘みユニットの存する分離部分を持ち易く、従って前腹部の左／右の部材の開閉操作が行い易い。
【０００９】
前記摘みユニットとしては、相対応する着脱部材を備えた一対の摘み部材が好ましく、この一対の摘み部材のうちの一方を前記前腹部の左の部材に取り付け、他方を前記前腹部の右の部材に取り付ければ、前記相対応する着脱部材の着脱により、前腹部の左／右の部材を何度でも開閉することができる。
【００１０】
この相対応する着脱部材としては面ファスナーや、粘着テープとこの粘着テープを着脱自在なターゲット部材との組合せ、或いはボタンや紐等が挙げられる。これらのうち、面ファスナーや、粘着テープとターゲット部材の組合せは、シート状であるから嵩張らず、また互いの着脱位置を変更可能で、着用者の所望の胴周り幅に取り付けることができる。
【００１１】
また前記摘みユニットとしては、突出部を備えたものであることが好ましい。突出部があれば摘みユニットを掴む取っ掛かりにすることができ、一層摘みユニットを持ち易くなって前腹部の開閉操作がより行い易くなる。
【００１２】
前記摘みユニットの前腹部に対する取付位置としては、該前腹部における外面側に摘みユニットを取り付けたものとすれば、殊に介護者が前腹部の開閉操作を行うにあたり、正面側から見て操作を行うことができ、作業性が良い。更に前記前腹部の肌側面に対して前記延出部の外側面を着脱自在に取り付けても良く、この場合は着用に際して、延出部を着用者の腹に当ててから、前腹部を閉じる手順となり、つまり着用後半段階で身体にパンツ型おむつをフィットさせる前腹部閉じ操作を行うこととなるので、介護者等にとって開閉操作が行い易い。尚前腹部の肌側面と延出部の外面側との間に介装される着脱部材としては面ファスナー等が挙げられる。
【００１３】
逆に、前記摘みユニットを前記前腹部における肌面側に取り付けたものとすれば、外側から見て摘みユニットが隠れるので、すっきりとしたパンツ様の外観にすることができ、殊におむつ着用に対する忌避感を有する着用者にとって心理的な負担を軽減でき、好ましい。更に前記摘みユニットの肌側面に対して前記延出部の外側面が着脱自在に取り付けられるものとすることにより、延出部が肌側に隠れた外観となり、より一層パンツ様の外観となって好ましい。尚摘みユニットの肌側面と延出部の外面側との間に介装される着脱部材としては面ファスナー等が挙げられる。
【００１４】
加えて、上記摘みユニットを前腹部の外面側に取り付けたものの場合には、前記前腹部の肌側面と前記延出部の外側面とを、また上記摘みユニットを前腹部の肌面側に取り付けたものの場合には、前記摘みユニットの肌側面と前記延出部の外側面とを、剥離可能に接着したものとすれば、前腹部と延出部、或いは摘みユニットと延出部が簡単には外れず、従ってパンツ型おむつを通常のパンツの様にずり下ろしたり上げたりする際の操作性が良い。尚上記剥離可能な接着手法としては、(1)延出部や前腹部，摘みユニットの構成素材として熱可塑性樹脂製のものを用いて熱接着する手法や、(2)ホットメルト接着剤による接着手法、(3)超音波を用いた接合手法、また(4)これらの併用等が挙げられる。
【００１５】
なお上記の如く前腹部の肌側面と延出部の外面側との間や、摘みユニットの肌側面と延出部の外面側との間に設ける面ファスナーによる係合と、上記剥離可能な接着とを併用しても良く、或いは上記面ファスナーを設けずに、上記剥離可能な接着のみでこれらを取り付ける様にしても良い。尚剥離可能な接着のみの場合にはこの接着を一旦外した後は再接合できない為、前腹部によって延出部を押さえる様にして着用することとなる。
【００１６】
また本発明において前記前腹部の左右への分離態様としては、予め前腹部を左右に分離された状態のものとしても良いし、或いは前記前腹部の中央縦方向を破断可能に構成し、この破断可能な箇所を破断することにより該前腹部が左右に分離する様にしたものであっても良い。後者の場合において、上記破断可能な箇所を破断する前は、前腹部は左右一続きとなっているからしっかりしており、パンツ型おむつの上げ下げ操作等が非常に行い易い。また破断可能箇所が中央縦方向であるので、破断操作や前腹部の左／右部材の開閉操作が行い易い。
【００１７】
前記破断可能な箇所としては、点状或いは短い線状の複数の切れ目を前腹部の縦方向に直線状に並べたもの（ミシン目状切れ目線）や、前腹部の構成材料として熱可塑性樹脂を用いてこれを溶融弱体化させたものが挙げられる。この溶融弱体化部分は線状に前腹部を上下に貫く様に設けても良いし、或いはミシン目状に断続的に設けても良い。これら破断可能な箇所の形成方法としては、ロータリーカッターにより切断する方法、加熱により溶融弱体化或いは切断する方法、超音波を作用させて溶融弱体化或いは切断する方法等が挙げられる。
【００１８】
次に上記使い捨てパンツ型おむつの製造方法、及びこれに用いる摘みユニットの製造方法について説明する。
【００１９】
本発明に係る使い捨てパンツ型おむつ用摘みユニットの製造方法は、使い捨てパンツ型おむつに取り付けられ、一対の摘み部材により構成される摘みユニットを製造する方法であって、前記一対の摘み部材における両原料シートに一対の着脱部材をそれぞれ取り付け、次に前記一対の着脱部材を重ねて前記両原料シートを一体化し、その後、個々の前記摘みユニットに切断することを特徴とする。
【００２０】
この様に先に両原料シートに一対の着脱部材を取り付けて一体化した後、個々の摘みユニットに切断しているので、切断してから両摘み部材を一体化する場合とは異なって、対となる摘み部材の寸法合わせが容易で、簡便に摘みユニットを製造可能であり、また寸法合わせの為の特別な装置を必要としないから、製造設備をコンパクトにすることができる。
【００２１】
本発明に係る使い捨てパンツ型おむつの製造方法は、前腹部に破断可能な箇所が形成された使い捨てパンツ型おむつを連続的に製造する方法であって、該パンツ型おむつにおける前記前腹部の原料長尺体に、製造流れ方向と交差する方向に破断可能な箇所を形成し、これに続いて該破断可能な箇所上に摘みユニットを取り付けることを特徴とする。
【００２２】
この方法によれば、破断可能な箇所に直ぐに摘みユニットが重ねられるので、破断可能な箇所が摘みユニットにより補強され、製造途中で破断可能な箇所が破れてしまうことを防止できる。破断可能な箇所の形成方法としては、後述の様に摘みユニットが重ねられた状態の前腹部の原料長尺体に対して破断可能な箇所を形成する場合とは異なって、様々な形成手法が採用でき、例えばロータリーカッターやレーザーカッターによる切断、加熱溶融による弱体化等が挙げられる。
【００２３】
或いは本発明に係る使い捨てパンツ型おむつの製造方法は、前腹部に破断可能な箇所が形成された使い捨てパンツ型おむつを連続的に製造する方法であって、該パンツ型おむつにおける前記前腹部の原料長尺体上に摘みユニットを取り付け、その後、この摘みユニットの取り付けられた位置における前記原料長尺体に対して、製造流れ方向と交差する方向に破断可能な箇所を形成することを特徴とする。
【００２４】
この方法においては、破断可能な箇所の形成前に予め摘みユニットが重ねられているから、破断可能な箇所が補強され、破れるのが防止される上、摘みユニットの位置を目標として破断可能な箇所を形成することが可能となり、よって該破断可能な箇所の位置決めが容易となり、また綺麗に形成することができる。尚この場合においては摘みユニットが重なった状態のものに対し、前腹部原料長尺体のみについて破断可能な箇所の形成を行わなければならない、即ち摘みユニットに破断可能箇所を形成しない様にする必要があるが、レーザー光線を用いた破断可能箇所の形成によれば、レーザー光線照射深さを適切に設定することができるので、摘みユニットに損傷を与えずに破断可能箇所の形成を行い得る。
【００２５】
更に上記の如く破断可能な箇所の形成及び摘みユニットの取付を行った後、これら摘みユニットと原料長尺体の重ね位置に延出部を重ね合わせる様にすれば、延出部の位置決めが容易である。尚延出部を重ねる側は、摘みユニット側或いは原料長尺体側のいずれでも良い。
【発明の効果】
【００２６】
本発明に係る使い捨てパンツ型おむつによれば、前腹部における摘みユニットの存する分離部分が持ち易く、従って前腹部の左／右部材の開閉時における操作性が良い。
【００２７】
加えて本発明に係る使い捨てパンツ型おむつ用摘みユニットの製造方法によれば、上記摘みユニットを簡便に製造することができ、またその製造設備としてもコンパクトなものとすることができる。
【００２８】
更に本発明に係る使い捨てパンツ型おむつの製造方法によれば、摘みユニットを備え且つ前腹部に破断可能な箇所が形成されたパンツ型おむつを、この破断可能な箇所が製造途中で破れることを良好に防止して製造することができる。
【発明を実施するための最良の形態】
【００２９】
＜実施形態１＞
図１は本発明の実施形態１に係る使い捨てパンツ型おむつ１０を示す正面図であり、図２はこのパンツ型おむつ１０を取り外す手順を説明するための図である。図３の（ａ）は上記パンツ型おむつ１０における前腹部５１の中央部分の正面図、（ｂ）は（ａ）に示すＢ−Ｂ線断面図、（ｃ）はこの前腹部５１を開けた様子を表す断面図である。また図４は図１に示すＡ−Ａ線断面であって、後身頃側を省略して前身頃側のみを表した断面図である。
【００３０】
使い捨てパンツ型おむつ１０は、前腹部５１と、この前腹部５１の両脇線部１４で接合されて連なる後背部５２と、この後背部５２の股下方向に連なる延出部５３とからなる。この延出部５３は、後背部５２と重なる部分から股下を経て前腹部５１に至る長さであり、延出部５３の自由端側を前腹部５１と重ねることにより左右の脚周り開口４３が形成される。また前腹部５１と後背部５２の上縁により胴周り開口４２が形成される。
【００３１】
前腹部５１及び後背部５２は、熱可塑性樹脂繊維からなる不織布製の内装シート２７と、同じく熱可塑性樹脂繊維からなる不織布製の外装シート２６の間に、糸状弾性部材（ウエスト用弾性部材３５，ボディ用弾性部材３６）を挟んだ構造のものである。内装シート２７，外装シート２６はいずれも柔軟で、そして弾性部材３５，３６が胴回り方向に伸長状態で固定されていることから、パンツ型おむつ１０はウエスト用弾性部材３５の収縮によって着用者のウエスト部分に良好にフィットすると共に、ボディ用弾性部材３６の収縮によって胴回りへ良好にフィットし、使用感が快適となる。また後背部５２の脚繰り部分には、脚用弾性部材３７が伸長状態で配設されており、後述する延出部５３に伸長状態で配設された股下用弾性部材４７と共に機能して、脚繰りにフィットする様になっている。この様に各弾性部材３５，３６，３７，４７によってパンツ型おむつ１０を身体にフィットさせることにより、尿等の漏れの防止が図られている。
【００３２】
前腹部５１の中央部分の縦方向には複数の切れ目がミシン目状に並んでおり（切れ目線２８（破断可能な箇所））、この切れ目に沿って切り離すことで、前腹部５１を左右の部材３９，３８に分離できる様になっている（なお着用状態における左を左部材３９、右を右部材３８と称す）。尚図示例（図３（ｂ），（ｃ），図４）ではこの切れ目線２８を既に切断した状態で表している。
【００３３】
前腹部５１の右部材３８の分離端近傍３８ａにおける外側面（表側面）には第１の摘み部材１１が接続され、また前腹部５１の左部材３９の分離端近傍３９ａにおける外側面（表側面）には第２の摘み部材１２が接続されている。尚図３（ｂ），（ｃ），図４における２９L，２９Rは、これらの接続の為の接着剤である。
【００３４】
着用状態においてこれら第１，２の摘み部材１１，１２はその自由端側（左／右部材３９，３８への取付箇所とは反対側）で一部重なる様になっており（重なり部分１１ａ，１２ａ）、第１の摘み部材１１の上記重なり部分１１ａにおける肌側面（裏側面）には面ファスナーの鈎型係合部材２１が設けられ、第２の摘み部材１２の上記重なり部分１２ａにおける外側面（表側面）には面ファスナーのループ型係合部材２２が設けられており、これら相対応する面ファスナー２１，２２を係脱することにより左／右部材３９，３８を繰り返し開閉できる様になっている。
【００３５】
上記第１，２の摘み部材１１，１２は前腹部５１の構成材料よりも硬質となっており、従ってこれら第１，２の摘み部材１１，１２は掴み易く、前腹部５１の左／右部材３９，３８を取扱い易い。更に上記第１の摘み部材１１の自由端側には突出部１３が形成されており、該突出部１３の肌面側には鈎型係合部材２１が設けられておらず、捲って摘むことが容易なものとなっている。
【００３６】
また左／右部材３９，３８の分離端近傍３９ａ，３８ａに位置する弾性部材３５，３６は細かく切断されており、該弾性部材３５，３６の収縮の影響が第１，２の摘み部材１１，１２に及ばない様になっている。尚仮に第１，２の摘み部材１１，１２が弾性部材３５，３６により縮むと、シワになって第１の摘み部材１１の鈎型係合部材２１と第２の摘み部材のループ型係合部材２２とを係合し難くなる虞がある。また弾性部材３５，３６が細かく切断されていることから、切れ目線２８（破断可能な箇所）を大きく跨った弾性部材３５，３６が存在しないこととなり、従って着用者等が切れ目線２８に沿って前腹部５１を破るときに、弾性部材３５，３６がこの破断を妨げることがない。
【００３７】
尚上記一対の第１，２の摘み部材１１，１２により摘みユニット４１が構成される。
【００３８】
また前腹部５１の左／右部材３９，３８の肌側面にはそれぞれ鈎型係合部材（面ファスナーにおける一方の部材）１８が取り付けられており、後述の延出部５３の外側面（表側面）に対して係脱自在となっている（図２，４）。
【００３９】
延出部５３は、図２（ｃ）に示す様に、その一部が後背部５２に重ねられて接着され、続いて後背部５２の股下から延出する様になっている。尚図示例では後背部５２の下端５２ａが延出部５３の中央辺りに至るものであるが、図示例よりも後背部５２を下端５２ａ方向に長いものとし、延出部５３を大きく覆う様にしても良く、或いは短くしたものであっても良い。
【００４０】
延出部５３の構造は、図４に示す様に、肌側に透液性のトップシート２４、表側に不透液性のバックシート３１を配置して、これらシート２４，３１の間に吸収性コア（吸収体）２３を挟んだ構造となっている。尚吸収性コア２３は後背部５２から股部分を経て前腹部５１に跨って配置されている（図２参照）。
【００４１】
更に延出部５３にはその両側縁部分に長手方向に延びるサイドシート２５が取り付けられており、このサイドシート２５の中央縁付近に糸状の立体用弾性部材３０が挟み込まれ、この弾性力によりサイドシート２５が着用者の肌に向かって（トップシート２４上方へ向かって）立ち上がる様になっている。サイドシート２５は吸収性コア２３の側縁位置（シート起立固定端３３）でトップシート２４に接着され、更にこの外方においてバックシート３１の外側縁付近に接着され、このサイドシート２５とバックシート３１に挟まれる様にして股下用弾性部材４７が取り付けられている。尚股下用弾性部材４７をトップシート２４とサイドシート２５の間、或いはトップシート２４とバックシート３１の間に挟む様に構成しても良い。
【００４２】
バックシート３１の外側面（表側面）は、微細なループを有するバック用不織布３２で覆われており、上記左／右部材３９，３８（前腹部５１）の鈎型係合部材１８と係脱自在となっている。尚上記バック用不織布３２に換えて、小型のループ型係合部材をバックシート３１における鈎型係合部材１８との係合位置に配置する様にしても良い。
【００４３】
実施形態１の使い捨てパンツ型おむつ１０の各材料としては、一般的な使い捨てパンツ型おむつに用いられる材料を使用でき、例えば次の如く材料が挙げられる。
【００４４】
外装シート２６としては、スパンボンド不織布，メルトブロー不織布，ＳＭＳ不織布（メルトブロー層の両側にスパンボンド層を配置させ、全体をヒートエンボス加工して得られる不織布）等の、通気性があって撥水性である不織布材料の他、織物や編物が挙げられる。好ましくは、目付１０〜２５ｇ／ｍ2の撥水性不織布材料である。
【００４５】
バック用不織布３２としては、スパンボンド不織布，メルトブロー不織布，ＳＭＳ不織布（メルトブロー層の両側にスパンボンド層を配置させ、全体をヒートエンボス加工して得られる不織布）等の、通気性があって撥水性である不織布材料の他、織物や編物が挙げられる。好ましくは、目付１０〜４５ｇ／ｍ2の撥水性不織布材料である。捲縮のかかった繊維を有するスパンボンド不織布や、嵩高なエアースルー不織布を用いれば前腹部５１肌側面の鈎型係合部材１８と係合し易くなって好ましい。
【００４６】
内装シート２７としては、スパンボンド不織布，メルトブロー不織布，ＳＭＳ不織布等の、通気性がある不織布材料が挙げられ、特に捲縮がかかった繊維を有するスパンボンド不織布が好適である。目付量としては１０〜３５ｇ／ｍ2が好ましい。その材料としてはポリプロピレン、ポリエチレン、ポリエステル、ポリアミド等が挙げられる。また親水化（界面活性剤を塗布する、或いは親水性繊維（レーヨン、コットン等）を若干混ぜる）しても良い。親水化することにより、肌に当接した場合の感触がより良好になったり、また吸汗したりする効果が期待できる。
【００４７】
トップシート２４としては、透液性の不織布材料が好ましく、例えば親水性繊維（セルロース，レーヨン，コットン等）を用いた不織布材料、あるいは疎水性繊維（ポリプロピレン，ポリエチレン，ポリエステル，ポリアミド等）の表面を界面活性剤により処理して透液性とした不織布材料が挙げられる。好ましくは、目付１０〜３５ｇ／ｍ2の疎水性繊維の表面を界面活性剤により処理して透液性とした不織布材料（ポイントボンド不織布，エアースルー不織布）が挙げられる。
【００４８】
バックシート３１としては、撥水性不織布材料（スパンボンド不織布，メルトブロー不織布，ＳＭＳ不織布等）やプラスチックフィルム、またその複合材料が挙げられる。尚上記プラスチックフィルムは通気性であっても非通気性であっても良いが、より好適な態様としては通気性プラスチックフィルムが望ましい。より好ましくは目付１５〜５０ｇ／ｍ2の通気性ポリエチレンフィルムである。
【００４９】
吸収性コア（吸収体）２３としては、粉砕したパルプ繊維やセルロース繊維等の親水性繊維集合層に粒状の高分子吸水体を混合した吸収コアを、ティッシュペーパー等の紙シートあるいは透液性不織布シート等の被覆シートで包み、所定の形状（長方形，砂時計型，ひょうたん型等）に成形した吸収体が挙げられる。加えて、着用者が歩いたり、寝返りを打ったりしても形状を保持できる様にする目的で、親水性繊維集合体中やシートに形状保持手段（ホットメルト接着剤の塗布、合成繊維の混合）を施しても良い。また上記繊維や高分子吸水体をシート状に成形したシート状吸収体（例えばエアレイド吸収体）などを所定の形状（長方形，砂時計型等）に成形して用いても良い。
【００５０】
サイドシート２５の素材としては、スパンボンド不織布，メルトブロー不織布，ＳＭＳ不織布等の、通気性があって撥水性である不織布材料が挙げられ、好ましくは目付１０〜２５ｇ／ｍ2の撥水性不織布材料が挙げられる。
【００５１】
ボディ用弾性部材３６，ウエスト用弾性部材３５，股下用弾性部材４７，脚用弾性部材３７，立体用弾性部材３０としては、使い捨ておむつに一般的に用いられる弾性伸縮材料（ポリウレタン糸，ポリウレタンフィルム，天然ゴム等）を用いると良く、各種シートの間に伸張状態で、ホットメルト接着剤，熱接着，超音波接着等の好適な添設手段によって添設すると良い（添設手段としてはゴム系のホットメルト接着剤を用いることがより好ましい）。そしてこれら弾性部材３６，３５，４７，３７，３０の繊度としては３００〜２０００デシテックスが好ましく、この様な繊度のポリウレタン糸を倍率１．１〜５．０倍に伸張して添設することが推奨される。
【００５２】
また第１，２の摘み部材１１，１２の材料としては、不織布，織物，編物の他、合成樹脂製シート等が挙げられ、掴み易く、容易に破断しないものであることが望ましい。なかでもスパンボンド法，エアースルー法，ポイントボンド法，メルトブロー法，エアレイド法，或いはこれらの手法を組み合わせた方法により得られる不織布材料が推奨される。更にスパンボンド法やＳＭＳ法（スパンボンド法とメルトブロー法を組み合わせた方法であって上記ＳＭＳ不織布を得ることができる）により得られる目付３０〜１００g/m2の不織布は、強度に優れることからより好ましい。特に好ましいものはスパンボンド法により製造される目付５０〜８５g/m2の不織布である。また上記不織布等の繊維素材としてはポリプロピレン，ポリエチレン，ポリエステル，ポリアミド等の合成繊維、レーヨン等の再生繊維、パルプ，絹等の天然繊維が挙げられ、なかでもポリプロピレン繊維、ポリエチレン繊維、ポリエステル繊維等の合成繊維が好ましく、特にポリプロピレン繊維やポリエステル繊維を主成分とするものは強度に優れることから好適である。最も好ましいものはポリエステル繊維である。
【００５３】
尚各材料の接合方法としては、ホットメルト接着剤による接着、超音波シール、熱接合等の方法が挙げられる。ホットメルト接着剤としては、ゴム系，ポリオレフィン系，酢酸ビニル系等のホットメルト接着剤から適宜選択すると良く、接着剤の塗布方法としては、接着剤排出ノズルを接触させつつ塗布する方法、カーテンスプレーコータによるメルトブロー法やスパイラルスプレー法等の非接触式塗工法で網状に塗布する方法、間欠的に塗布するビード塗布法等が挙げられる。脇線部１４については、熱接合による接合が好ましい。
【００５４】
次にこの実施形態１のパンツ型おむつ１０の使用態様について説明する。
【００５５】
パンツ型おむつ１０（前腹部５１を左右に切り離す前）の着用にあたっては、普通のパンツの様に脚周り開口４３に足を通し、腰までずり上げて着用する（図１）。
【００５６】
パンツ型おむつ１０を取り外すにあたっては、先ず突出部１３を摘んで第１の摘み部材１１を捲る様にしつつ、第１の摘み部材１１の鈎型係合部材２１と第２の摘み部材１２のループ型係合部材２２との係合を解除する（図１、図３（ａ），（ｂ）、図４参照）。続いて切れ目（切れ目線２８）に沿って切断して、前腹部５１を左部材３９と右部材３８に分ける。このとき左／右部材３９，３８のそれぞれの分離端近傍３９ａ，３８ａには第１，２の摘み部材１１，１２が取り付けられていることから、切れ目線２８付近が掴み易く、切断操作が容易である。次に（或いは切断と同時に）、延出部５３（バック用不織布３２）に対する鈎型係合部材１８の係合を外して左／右部材３９，３８を前方へ開ける（図２（ａ），（ｂ）、図３（ｃ））。この際も左／右部材３９，３８の分離端近傍３９ａ，３８ａに第１，２の摘み部材１１，１２が設けられていることから持ち易く、係合の解除操作が行い易い。
【００５７】
次いで延出部５３を身体の腹部から離して股の間から引き抜き、おむつ１０を取り外す（図２（ｃ））。
【００５８】
この様にパンツ型おむつ１０は前腹部５１を左右に開けて取り外すことができるので、外に着用するズボン等を完全に脱がなくても、少しずらすだけで外すことができ、しかもその際の操作性が良い。
【００５９】
尚おむつ１０を完全に外さずに、内部の汚染状態を確認するだけのときは、左／右部材３９，３８を前方へ開け、延出部５３を腹部から少し離して見る様にすると良い。
【００６０】
そして前腹部５１（左／右部材３９，３８）と延出部５３は、バック用不織布３２と鈎型係合部材１８の機械的係合によって着脱自在であり、また第１，２の摘み部材１１，１２もその鈎型係合部材２１とループ型係合部材２２の機械的係合によって着脱自在であるので、これらを係合させる様にしつつ左／右部材３９，３８を閉じることで、再び着用することができる。この着用の操作にあたっても、摘みユニット４１（第１，２の摘み部材１１，１２）により左／右部材３９，３８が持ち易いので、操作性が良い。
【００６１】
加えて鈎型係合部材１８を所望の位置にずらせてバック用不織布３２に係合させたり、第１，２の摘み部材１１，１２の鈎型係合部材２１とループ型係合部材２２の係合位置をずらすこともでき、これにより股部や胴回りのフィット感を着用者の好みに変更することができる。しかも鈎型係合部材１８とバック用不織布３２、鈎型係合部材２１とループ型係合部材２２は嵩張らないので、すっきりとした外観を呈する。
【００６２】
なお左／右部材３９，３８への切断操作を行うまでは、左／右部材３９，３８は繋がった状態であり、また左／右部材に切り離した後も、摘みユニット４１の面ファスナー（鈎型係合部材２１とループ型係合部材２２）によって繋がり、そして胴回り（前腹部５１及び後背部５２）はウエスト用弾性部材３５やボディ用弾性部材３６によって良好に伸縮するので、着用者は通常のパンツをはく様に上げ下げすることができる。
【００６３】
＜実施形態２，３＞
図５は本発明の実施形態２に係る使い捨てパンツ型おむつの前身頃側を表した断面図であり、図１に示すＡ−Ａ線断面に相当する箇所である。
【００６４】
上記実施形態１では延出部５３の外側面と前腹部５１の肌側面が、バック用不織布３２と鈎型係合部材１８の係合により取り付けられるものであるが、この実施形態２のパンツ型おむつでは、これに代えて、ホットメルト接着剤５４によって剥離可能に接着されたものであり、その他は実施形態１と同じ構成である。
【００６５】
上記接着剤５４による接着は、着用者或いは介護者が手により剥離することが可能な程度の接合力であり、左／右部材３９，３８を前方へ開ける際に剥離する。
【００６６】
本実施形態２では接着剤５４により前腹部５１と延出部５３がしっかりと接合されているので、当該パンツ型おむつを脚からずらしてはいたり脱いだりするときに、非常にしっかりしており操作性が良い。尤も接着剤５４による接着は、一旦剥離すると再接着できないことから、これを剥離後は左／右部材３９，３８を閉じて（第１，２の摘み部材の鈎型係合部材２１，ループ型係合部材２２を係合させる）延出部５３を押さえる様にして留めることとなる。
【００６７】
尚上記ホットメルト接着剤５４に代えて、延出部５３の外面側の素材や前腹部５１の肌面側の素材として熱可塑性樹脂を用い、これらを加熱加圧することにより熱接着する様にしても良い。
【００６８】
更に実施形態３として、上記実施形態２の如くの接着剤５４による接着と、上記実施形態１の如くのバック用不織布３２−鈎型係合部材１８の係合とを組合せても良く、この場合は接着剤５４部分の剥離前には前腹部５１と延出部５３が非常にしっかりと接合されて操作性が良い上、接着剤５４部分の剥離後もバック用不織布３２−鈎型係合部材１８の係合により或る程度しっかりと前腹部５１と延出部５３を取り付けることができる。
【００６９】
＜実施形態４＞
図６は本発明の実施形態４に係る使い捨てパンツ型おむつ２０を示す正面図であり、図７はこのパンツ型おむつ２０を取り外す手順を説明するための図である。図８の（ａ）は上記パンツ型おむつ２０における前腹部６１の中央部分の正面図、（ｂ）は（ａ）に示すＤ−Ｄ線断面図、（ｃ）はこの前腹部６１を開けた様子を表す断面図である。また図９は図６に示すＣ−Ｃ線断面であって、後身頃側を省略して前身頃側のみを表した断面図である。
【００７０】
実施形態４のパンツ型おむつ２０においては、前腹部６１の右部材６８の分離端近傍６８ａにおける肌側面（裏側面）に第１の摘み部材５５が接続され、前腹部６１の左部材６９の分離端近傍６９ａにおける肌側面（裏側面）には第２の摘み部材５６が接続されている。尚これら一対の第１，２の摘み部材５５，５６により摘みユニット５７が構成されている。
【００７１】
着用状態において上記第１，２の摘み部材５５，５６はその自由端側（左／右部材６９，６８への取付箇所とは反対側）で一部重なる様になっており、第１の摘み部材５５の上記重なり部分における外側面（表側面）には面ファスナーの鈎型係合部材２１が設けられ、第２の摘み部材５６の上記重なり部分における肌側面（裏側面）には面ファスナーのループ型係合部材２２が設けられており、これら相対応する面ファスナー２１，２２を係脱することにより左／右部材６９，６８を繰り返し開閉できる様になっている。
【００７２】
また第１の摘み部材５５の肌側面、及び第２の摘み部材５６の肌側面における第１の摘み部材５５との重なり部分から外れた箇所に、面ファスナーのループ型係合部材５８，５９が設けられており、他方延出部５３の外側面には面ファスナーの鈎型係合部材６２（胴周り方向に長いもの）が設けられており、これらループ型係合部材５８，５９と鈎型係合部材６２が係脱自在となっている。
【００７３】
なお実施形態１と同様に、前腹部６１の中央部分の縦方向には複数の切れ目がミシン目状に並んでおり（切れ目線２８（破断可能な箇所））、この切れ目に沿って切り離すことで、前腹部６１を左右の部材６９，６８に分離できる様になっている（なお着用状態における左を左部材６９、右を右部材６８と称す）。尚図示例（図８（ｂ），（ｃ），図９ではこの切れ目線２８を既に切断した状態で表している。また図８（ｂ），（ｃ），図９において便宜上、延出部５３から前腹部６１（左／右部材６９，６８）を浮かせて描いているが、着用時においてループ型係合部材５８，５９と鈎型係合部材６２は係合されて付いているものである。
【００７４】
その他の構成は上記実施形態１と同様である。
【００７５】
次にこの実施形態４のパンツ型おむつ２０の使用態様について説明する。
【００７６】
パンツ型おむつ２０（前腹部６１を左右に切り離す前）の着用にあたっては、実施形態１と同様に、普通のパンツの様に脚周り開口４３に足を通し、腰までずり上げて着用する（図６）。
【００７７】
パンツ型おむつ２０を取り外すにあたっては、先ず前腹部６１を切れ目線２８に沿って切断して左部材６９と右部材６８に分ける。このとき左／右部材６９，６８のそれぞれの分離端近傍６９ａ，６８ａには第１，２の摘み部材５５，５６が取り付けられていることから、切れ目線２８付近が掴み易く、切断操作が行い易い。続いて第１の摘み部材５５の鈎型係合部材２１と第２の摘み部材５６のループ型係合部材２２との係合を解除し、次に（或いはこの係合解除と同時に）、延出部５３の鈎型係合部材６２とループ型係合部材５８，５９の係合を外して左／右部材６９，６８を前方へ開ける（図７（ａ），（ｂ）、図８（ｃ））。このときも第１，２の摘み部材５５，５６によって左／右部材６９，６８の分離端近傍６９ａ，６８ａが掴み易く、係合解除の操作が行い易い。
【００７８】
次いで上記実施形態１の場合と同様に、延出部５３を身体の腹部から離して股の間から引き抜き、おむつ２０を取り外す（図７（ｃ））。
【００７９】
この様にパンツ型おむつ２０は前腹部６１を左右に開けて取り外すことができるので、外に着用するズボン等を完全に脱がなくても、少しずらすだけで外すことができ、しかも摘みユニット５７によりその際の操作性が良い。また実施形態４のパンツ型おむつ２０は摘みユニット５７（第１，２の摘み部材５５，５６）が肌側に隠れているから、すっきりとした通常のパンツ様の外観である。
【００８０】
また実施形態１の場合と同様に、おむつ２０を完全に外さずに、内部の汚染状態を確認するだけのときは、左／右部材６９，６８を前方へ開け、延出部５３を腹部から少し離して見る様にすると良い。
【００８１】
そして前腹部６１（左／右部材６９，６８）と延出部５３は、第１，２の摘み部材５５，５６のループ型係合部材５８，５９と延出部５３の鈎型係合部材６２の機械的係合によって着脱自在であり、また第１の摘み部材５５の鈎型係合部材２１と第２の摘み部材５６のループ型係合部材２２の機械的係合によって着脱自在であるので、これらを係合させる様にしつつ左／右部材６９，６８を閉じることで、再び着用することができる。またこの着用の際、左／右部材６９，６８には第１，２の摘み部材５５，５６が取り付けられているので、操作性が良い。
【００８２】
加えて延出部５３の鈎型係合部材６２に対してループ型係合部材５８，５９を胴周り方向にずらせて係合させ、また第１，２の摘み部材５５，５６の鈎型係合部材２１とループ型係合部材２２を胴周り方向にずらせて係合させることにより、股部や胴回りのフィット感を着用者の好みに変更することができる。しかも鈎型係合部材２１，６２とループ型係合部材２２，５８，５９は嵩張らないので、すっきりとした外観を呈する。
【００８３】
なお左／右部材６９，６８への切断操作を行うまでは、左／右部材６９，６８は繋がっており、また切断後も面ファスナー（鈎型係合部材２１とループ型係合部材２２）によって繋げられ、そして胴回り（前腹部６１及び後背部５２）はウエスト用弾性部材３５やボディ用弾性部材３６によって良好に伸縮するので、着用者は通常のパンツをはく様に上げ下げすることができる。
【００８４】
＜実施形態５＞
図１０は本発明の実施形態５に係る使い捨てパンツ型おむつの前身頃側を表した断面図であり、図６に示すＣ−Ｃ線断面に相当する箇所であって、前身頃側のみを表した断面図である。
【００８５】
上記実施形態４では延出部５３の外側面と摘みユニット５７の肌側面が、鈎型係合部材６２とループ型係合部材５８，５９の係合により取り付けられるものであるが、この実施形態５のパンツ型おむつでは、これに代えて、ホットメルト接着剤６３によって剥離可能に接着されたものであり、その他は実施形態４と同じ構成である。
【００８６】
上記実施形態２の場合と同様に、本実施形態５では接着剤６３により前腹部６１と延出部５３がしっかりと接合されているので、通常のパンツの様にずらして脱ぎ着する際の操作性が非常に良い。
【００８７】
なお実施形態５の様な接着剤６３による接合と、実施形態４の様な一対の面ファスナーによる接合とを併用しても良い。
【００８８】
＜実施形態６：摘みユニットの製造方法＞
次に上記実施形態１で用いられる摘みユニット４１の製造方法について説明する。
【００８９】
図１１は本発明に係る使い捨てパンツ型おむつ用摘みユニットの製造方法の一例を説明するための図であり、この製造ラインは図の左から右（矢印Ｅ方向）に流れている。
【００９０】
先ず第１の摘み部材１１の原料シート（第１の原料シート１１１）に対し、その肌側となる面であって突出部１３より少し内側に入った位置に鈎型係合部材２１を接着剤により取り付け、また第２の摘み部材１２の原料シート（第２の原料シート１１２）に対し、その外側となる面であって一方のシート縁近傍（一方のシート縁より少し内側に入った位置）にループ型係合部材２２を接着剤により取り付ける（面ファスナー取付工程）。次いでこれら鈎型係合部材２１とループ型係合部材２２を重ね合わせる様にして第１，２の原料シート１１１，１１２を重ねる（一体化工程）。このとき鈎型係合部材２１とループ型係合部材２２が係合され両原料シート１１１，１１２は一体化する。次にこれを個々の摘みユニット４１に切断する（矢印Ｆ）（切断工程）。この様にして摘みユニット４１が完成する。
【００９１】
上記製造方法では、先に第１，２の原料シート１１１，１１２を一体化してから切断しているので、第１，２の摘み部材１１，１２の寸法合わせ容易であり、また製造設備をコンパクトにすることができる。
【００９２】
尚実施形態４，５の摘みユニット５７の製造法については、上記実施形態６の製造方法における肌側面と外側面が反対になるだけであり、大凡その製造方法に変わりはない。但し実施形態４における摘みユニット５７の場合には（図９参照）、鈎型係合部材２１とループ型係合部材２２を係合して両原料シート１１１，１１２を一体化した後（一体化工程）、第１，２の原料シート１１１，１１２の肌側面にループ型係合部材５８，５９を接着剤により取り付け（ループ係合材取付工程）、次に個々の摘みユニット５７に切断する（切断工程）。或いは第２の原料シートに幅広のループ型係合部材２２を取り付け、これがループ型係合部材５９と兼ねる様にしても良く、この場合は上記ループ係合材取付工程において第１の原料シート１１１に対してのみループ型係合部材５８を取り付けることとなる。
【００９３】
＜実施形態７：使い捨てパンツ型おむつの製造方法＞
次に上記実施形態１の使い捨てパンツ型おむつ１０の製造方法について説明する。
【００９４】
図１２は本発明の一実施形態に係る使い捨てパンツ型おむつの製造方法の一部を説明するための図であって、前身頃側を説明するものである。尚この製造ラインはパンツ型おむつを左右方向に流して製造する所謂横流し法によるものであり、図において左から右（矢印Ｇ方向）に流れている。
【００９５】
まず内装シート２７と外装シート２６の間にウエスト用弾性部材３５及びボディ用弾性部材３６を挟んで前腹部５１の原料長尺体１５１とし（図示せず）、これに対して、ロータリーカッター６４（ドラム表面に鋭利な刃を複数有するもの）によりその前腹部５１の中央付近となる位置（左／右部材の分離端近傍３８ａ，３９ａとなる位置）における弾性部材３５，３６を細かく切断する（弾性部材切断工程）。次にロータリーカッター６５（原料長尺第１５１の幅方向に断続的に鋭利な刃を有するもの）により前腹部５１の中央となる位置に複数の切れ目を形成する（切れ目線２８）（破断可能箇所形成工程）。尚この切れ目線２８は、製造流れ方向（矢印Ｅ）と直交する方向にミシン目状に切れ目が並んだものである。続いて切れ目線２８上における外側面に摘みユニット４１を接着剤２９L，２９R（図３（ｂ），図４参照）により取り付ける（摘みユニット取付工程）。尚この摘みユニット４１の取り付けにあたり、摘みユニットの製造流れ方向Ｅとパンツ型おむつの製造流れ方向Ｇが平行している場合には、摘みユニット４１を適宜９０°回転させて取付方向を適正にする（矢印Ｈ）。
【００９６】
次に、別過程で製造された延出部５３を上記前腹部原料長尺体１５１の肌側面における切れ目線２８上に重ね、前腹部原料長尺体１５１の肌側面に予め設けられた鈎型係合部材１８と延出部５３のバック用不織布３２とを係合させる（前腹部−延出部取付工程）。またこの際、別過程で製造された後背部原料長尺体（内装シート２６と外装シート２７の間に弾性部材３５，３６を挟んだもの）の肌側面に上記延出部５３を重ねて接着する（図示せず）（後背部−延出部取付工程）。
【００９７】
その後、後背部原料長尺体を前腹部原料長尺体１５１に向けて折返し、前腹部と後背部を脇線部１４で熱融着し（脇接続工程）、個々のおむつに切り離して（個別おむつ切断工程）、パンツ型おむつ１０が完成する（図示せず）。
【００９８】
本実施形態７においては、弾性部材切断工程や破断可能箇所形成工程を摘みユニット取付工程より前に行っているから、弾性部材の破断や切れ目線２８の形成にあたって、後述の実施形態８の場合とは異なってその形成手法として様々な手法を行うことができ、例えばカッター等により前腹部原料長尺体１５１を厚み方向に貫いて切断するといった手法も採用できる。
【００９９】
加えて上述の様に切れ目線２８の形成後直ぐに摘みユニット４１を取り付けているから、この摘みユニット４１が切れ目線２８の補強部材として機能し、製造途中で切れ目線２８から破断することを防止することができる。尚弾性部材切断工程を破断可能箇所形成工程や摘みユニット取付工程より前に行うことで、破断可能箇所形成工程の直後に摘みユニット取付工程を行うことができる。
【０１００】
＜実施形態８：使い捨てパンツ型おむつの製造方法＞
図１３は本発明の他の実施形態に係る使い捨てパンツ型おむつの製造方法の一部を説明するための図であって、前身頃側を説明するものである。
【０１０１】
上記実施形態７では破断可能箇所（切れ目線２８）を形成してから摘みユニット４１を取り付ける構成を示したが、本実施形態８では、先に前腹部原料長尺体１５１に摘みユニット４１を接着剤により取り付け（摘みユニット取付工程）、その後レーザーカッター６６により前腹部原料長尺体１５１のみに対して、前腹部５１の中央となる位置に複数の切れ目を形成する（切れ目線２８）（破断可能箇所形成工程）。その他の構成は上記実施形態７と同様である。
【０１０２】
本実施形態８の場合は先に摘みユニット４１が長尺体１５１に取り付けられているから、切れ目線２８の位置決めが容易である。また摘みユニット４１が補強剤として機能し、切れ目線２８形成後であっても破断する虞が殆どない。
【０１０３】
以上、例を挙げて本発明を具体的に説明したが、本発明はもとより上記例によって制限を受けるものではなく、前記の趣旨に適合し得る範囲で適当に変更を加えて実施することも勿論可能であり、それらはいずれも本発明の技術的範囲に包含される。
【０１０４】
例えば上記実施形態のパンツ型おむつは、はじめ前腹部５１の左／右部材３９，３８が繋がっており、着用者等が適宜切れ目線２８（破断可能な箇所）で切断して左部材３９と右部材３８に分離するものであるが、予め左／右部材３９，３８に切断された状態の製品であっても良い。この場合は新しく着用する際にも、外側のズボン等を完全に脱がずに、パンツ型おむつを着用することができる。
【０１０５】
また破断可能な箇所として上記切れ目線２８の他、前腹部の構成材料として熱可塑性樹脂を用い、これを弱体化して（強く加熱加圧して溶融，硬化させることにより厚みを薄く、弱くする）破断し易くしたものであっても良い。この弱体化部分は線状に前腹部を上下に貫く様に設けても良いし、或いは断続的に設けても良い。
【０１０６】
更に上記実施形態では、第１，２の摘み部材との重なり部分である左／右部材３９，３８の分離端近傍３９ａ，３８ａに位置するウエスト用弾性部材３５，ボディ用弾性部材３６を、細かく切断することにより当該分離端近傍３９ａ，３８ａが縮まない様にしたものを示したが、これに限るものではなく、弾性部材３５，３６に対して第１，２の摘み部材と重なる範囲において張力をかけずに（伸長させずに）内／外装シート２７，２８間に挟んで接着する様にしても良い。或いは当該重なる範囲に弾性部材３５，３６を配置しない構成としても良い。
【０１０７】
また上記実施形態では、弾性部材３５，３６を鋭利なカッター（刃）により切断する場合を示したが、これに限るものではなく、例えば先の丸い押圧部材により加熱しつつ圧力をかけて押し切りする様にしても良い。
【０１０８】
上記実施形態では、一対の摘み部材の着脱や、延出部と前腹部（左／右部材）の着脱に、鈎型係合部材等の雄型係合部材とループ型係合部材や不織布（或いは編物，織物）等の雌型係合部材とを対にして機械的に係合させる構成のものを示したが、これに限るものではなく、粘着テープと、この粘着テープを着脱自在なターゲット部材との組合せにより、着脱自在な構成としても良い。またボタンや紐を用いて一対の摘み部材の着脱が可能な様に構成しても良い。尤も、鈎型係合部材と、ループ型係合部材や不織布とで構成された面ファスナーによれば、あまり嵩張らずすっきりとした外観にでき、また頻回に係脱可能であることから好ましい。
【図面の簡単な説明】
【０１０９】
【図１】本発明の実施形態１に係る使い捨てパンツ型おむつを示す正面図である。
【図２】図１に示す実施形態１のパンツ型おむつを取り外す手順を説明するための図である。
【図３】（ａ）は実施形態１のパンツ型おむつにおける前腹部の中央部分の正面図、（ｂ）は（ａ）に示すＢ−Ｂ線断面図、（ｃ）は前腹部を開けた様子を表す断面図である。
【図４】図１に示すＡ−Ａ線断面であって、後身頃側を省略して前身頃側のみを表した断面図である。
【図５】本発明の実施形態２に係る使い捨てパンツ型おむつの前身頃側を表した断面図である。
【図６】本発明の実施形態４に係る使い捨てパンツ型おむつを示す正面図である。
【図７】実施形態４のパンツ型おむつを取り外す手順を説明するための図である。
【図８】（ａ）は実施形態４のパンツ型おむつにおける前腹部の中央部分の正面図、（ｂ）は（ａ）に示すＤ−Ｄ線断面図、（ｃ）は前腹部を開けた様子を表す断面図である。
【図９】図６に示すＣ−Ｃ線断面であって、後身頃側を省略して前身頃側のみを表した断面図である。
【図１０】本発明の実施形態５に係る使い捨てパンツ型おむつの前身頃側を表した断面図である。
【図１１】本発明に係る使い捨てパンツ型おむつ用摘みユニットの製造方法の一例を説明するための図である。
【図１２】本発明の一実施形態に係る使い捨てパンツ型おむつの製造方法の一部を説明するための図であって、前身頃側を説明するものである。
【図１３】本発明の他の実施形態に係る使い捨てパンツ型おむつの製造方法の一部を説明するための図であって、前身頃側を説明するものである。
【符号の説明】
【０１１０】
１０，２０  使い捨てパンツ型おむつ
１１，５５  第１の摘み部材
１２，５６  第２の摘み部材
１８，２１，６２  鈎型係合部材
２２，５８，５９  ループ型係合部材
２８  切れ目線（破断可能な箇所）
３２  バック用不織布
３８，６８  右部材
３８ａ，３９ａ  分離端近傍
３９，６９  左部材
４１，５７  摘みユニット
５１  前腹部
５２  後背部
５３  延出部
５４，６３  ホットメルト接着剤
【図１】
2005245902.tif 000003
【図２】
2005245902.tif 000004
【図３】
2005245902.tif 000005
【図４】
2005245902.tif 000006
【図５】
2005245902.tif 000007
【図６】
2005245902.tif 000008
【図７】
2005245902.tif 000009
【図８】
2005245902.tif 000010
【図９】
2005245902.tif 000011
【図１０】
2005245902.tif 000012
【図１１】
2005245902.tif 000013
【図１２】
2005245902.tif 000014
【図１３】
2005245902.tif 000015